(57)【要約】【課題】ノイズフィルタを接続する配線の絶縁を考慮し、配線の引き回しによりフィルタの効果が変化することを避けることを考慮した良好な製品を提供する。【解決手段】電磁ノイズフィルタと電力変換装置の主回路配線の接続導電体を覆い隠し、電線引廻しのルートが決まるようにする。【選択図】図４
2010035295.tif 000002
【特許請求の範囲】
【請求項１】
電力変換装置の配線を被うように、ノイズフィルタと電力変換装置に取り付けられるノイズフィルタカバーであって、
前記配線を固定する配線固定部を備えることを特徴とするノイズフィルタカバー。
【請求項２】
前記配線固定部は複数個設けられ、
前記ノイズフィルタから前記電力変換装置への入力配線と、前記電力変換装置からの出力配線とを分離して固定することを特徴とする請求項１に記載のノイズフィルタカバー。
【請求項３】
前記配線固定部は、複数のＬ字状のフックで構成されていることを特徴とする請求項１に記載のノイズフィルタカバー。
【請求項４】
下部材と、この下部材と嵌合する上部材とを備え、
前記下部材が前記配線固定部を備えることを特徴とする請求項１に記載のノイズフィルタカバー。
【請求項５】
少なくとも１つの前記Ｌ字状のフックの先端部は、前記電力変換装置の主回路配線用端子面の方向を向いていることを特徴とする請求項３に記載のノイズフィルタカバー。
【請求項６】
少なくとも１つの前記Ｌ字状のフックの先端部は、前記電力変換装置の主回路配線用端子面とは反対の方向を向いていることを特徴とする請求項３に記載のノイズフィルタカバー。
【発明の詳細な説明】
【技術分野】
【０００１】
本発明はノイズフィルタカバーに関し、例えばモータ等に電力を供給する電力変換装置の電磁ノイズを抑制するためのフィルタを追加で取付ける際のフィルタ電気接続部を絶縁するカバーの構造に関するものである。
【背景技術】
【０００２】
電力変換装置での電磁ノイズに関する規格では、ＣＥ規格、ＥＮ５５０１１、ＥＮ６１８００が知られている。この規格は、使用される機器、使用環境分類により電磁ノイズの限度値を規定し、他の電気機器等へ影響を及ぼさないように表したものである。
【０００３】
この電磁ノイズ対策については、電磁ノイズフィルタを用いることが考え出されており、例えば特許文献１には、電磁遮蔽及び電磁耐性に優れた電気装置の技術が開示されている。
【特許文献１】特開平１０−５１９１２号公報
【発明の開示】
【発明が解決しようとする課題】
【０００４】
このように、電磁ノイズ対策において、電磁ノイズフィルタを設けることが、一般的に行われている。
【０００５】
しかしながら、電磁ノイズフィルタを設けると、このノイズフィルタと電力変換装置とを接続する配線が製品の外部に露出することになることが多い。このため、例えばブスバー等、導電体がむき出しの状態で配線した場合、導電体同士や導電体への接触による感電防止のために、絶縁を考慮する必要がある。また、その接続を電線等、フレキシブルな導電物で接続した場合、配線の引き回しによりフィルタの効果が変化することを考慮することが必要となる。
【０００６】
この問題は、その電力変換装置に合せたノイズフィルタ（カスタマイズ品）によって解決することもできるが、通常カスタマイズ品は非常にコストが掛かってしまう。
【０００７】
そこで、価格的に安価な汎用品のノイズフィルタを用いても上述の問題を回避できることが望ましい。
【０００８】
本発明はこのような状況に鑑みてなされたものであり、汎用品の電磁ノイズフィルタを電力変換装置に取り付けた場合に、配線の露出を防止し、かつ電磁ノイズフィルタの効果を適正に発揮させることに資するノイズフィルタカバーを提供するものである。
【課題を解決するための手段】
【０００９】
上記課題を解決するために、本発明のノイズフィルタカバーは、電磁ノイズフィルタと電力変換装置の主回路配線の接続導電体を覆い隠す構成となっている。また、本発明のノイズフィルタカバーでは、電線引廻しのルートが決まり、用いる電線の長さが所定（規定）範囲内に収まるようになっている。
【００１０】
即ち、本発明によるノイズフィルタカバーは、電力変換装置の配線を被うように、ノイズフィルタと電力変換装置に取り付けられるノイズフィルタカバーであって、配線を固定する配線固定部を備えることを特徴とする。この配線固定部は複数個設けられている。このため、ノイズフィルタから電力変換装置への入力配線と、電力変換装置からの出力配線とを分離して固定することができるようになっている。これにより入出力配線の交差をも防止することができる。
【００１１】
また、配線固定部は、Ｌ字状のフックで構成されている。そして、このＬ字状のフックの先端部は、電力変換装置の主回路配線用端子面の方向を向いている。これにより、配線をまとめ易くなるという効果が期待できる。或いは、このＬ字状のフックの先端部が、電力変換装置の主回路配線用端子面とは反対の方向を向いているようにしてもよい。取り付け易さは主回路配線用端子面の方向を向いている場合より劣るが、より強く固定することには優れていると言える。
【００１２】
なお、ノイズフィルタカバーは、下部材と上部材とで構成され、これらが嵌合するようにしても良い。この場合、下部材が配線固定部（Ｌ字状フック）を備えるようにすると良い。
【００１３】
さらなる本発明の特徴は、以下本発明を実施するための最良の形態および添付図面によって明らかになるものである。
【発明の効果】
【００１４】
本発明によれば、インバータ装置に電磁ノイズフィルタを追加で取付けた場合について、良好な絶縁特性を有し、フィルタ効果の変化の少ない製品を供給することが可能となる。
【発明を実施するための最良の形態】
【００１５】
本発明は、電磁ノイズ対策用の汎用品の電磁ノイズフィルタを電力変換装置に取り付け、取り付け配線のブスバー接続時の絶縁、電線接続時の引き回しの考慮等を実現するノイズフィルタカバーを提供する。
【００１６】
以下、添付図面を参照して本発明の実施形態について説明する。ただし、本実施形態は本発明を実現するための一例に過ぎず、本発明の技術的範囲を限定するものではないことに注意すべきである。また、各図において共通の構成については同一の参照番号が付されている。
【００１７】
＜ノイズフィルタカバーの取り付け状態＞
図１は、本発明によるノイズフィルタカバーを電磁ノイズフィルタ及びインバータ装置（電力変換装置）に取り付ける場合の外観を示す図である。
【００１８】
図１において、１は電磁ノイズフィルタ、２はインバータ装置、３はノイズフィルタカバー、４はノイズフィルタの出力線（Ｒ相）、５はノイズフィルタの出力線（Ｓ相）、６はノイズフィルタの出力線（Ｔ相）を示している。
【００１９】
図１に示されるように、汎用の電磁ノイズフィルタ１は、例えばインバータ装置２の底面に取り付けられる。また、図示しない電源装置は、電磁ノイズフィルタ１の側面１１０に取り付けられる。本発明では、電磁ノイズフィルタ１は汎用品であるため、インバータ装置２と電磁ノイズフィルタとの接続線４、５、６等は、外部に露出する状態となっている。
【００２０】
図１からも理解できるように、ノイズフィルタカバー３は、このような接続線の露出を回避し、導電体同士や導電体への接触による感電を防止する機能を有している。
【００２１】
なお、図２はノイズフィルタの概略回路構成を示す図である。７はノイズフィルタの入力線（Ｒ相）、８はノイズフィルタの入力線（Ｓ相）、９はノイズフィルタの入力線（Ｔ相）、１０はＸコンデンサ、１１は零相リアクトル、１２はＸ−Ｙコンデンサである。
【００２２】
ノイズ源は、インバータ装置となるため、ノイズフィルタの出力線４、５及び６からノイズは入ってくることになる。そのノイズを、電源につながっているノイズフィルタの入力線７、８及び９に伝わらないように零相リアクトル１１が壁となっている。また、その壁で止められたノイズは、Ｘ−Ｙコンデンサ１２を通し、インバータ側へ戻される。
【００２３】
しかし、零相リアクトル１１は、ノーマルモードノイズしか壁となることが出来ず、コモンモードノイズは壁となり止らないため、Ｘコンデンサ１０で線間を通し、インバータ側へ戻ることになる。
【００２４】
＜ノイズフィルタカバーの構成＞
図３は、ノイズフィルタカバー３の裏面の構成を示す図である。図３（ａ）は下部材３１にのみフックを設けた構成例であり、図３（ｂ）は上部材３２及び下部材３１の双方にフックを設けた構成例である。
【００２５】
下部材３１には、後述のネジ４１（図４参照）が螺着するネジ締結部３６と、フック３３乃至３５が設けられている。なお、締結する手段はネジに限られるものではなく、ピンであっても良い。ノイズフィルタカバー３の側面部に設けられたフック３３及び３４は、図３においては、カバー部材３９に隠れて見えないようになっている。また、フック３５は、カバー３の裏面からＬ字状に、先端が下方向に延びて構成されている。
【００２６】
上部材３２には、インバータ装置２の裏面カバー（図示せず）を取り付けるための溝に係合する係合部３７及び３８が設けられている。下部材３１はネジ等の締結部材により締結されるが、上部材３２はインバータ装置側の溝と係合部３７及び３８との係合によってインバータ装置２に固定される。
【００２７】
図３（ｂ）に示されるように、上部材３２にもフックを設けることにより、利用者の好みにより、或いは、下部材のフックが利用しづらい配線状況の場合に、上部材のフックを用いることが可能となる。
【００２８】
＜ノイズフィルタカバーの取り付け手順＞
図４は、ノイズフィルタカバー３を、電磁ノイズフィルタ１が取り付けられたインバータ装置２に取り付ける手順を示す図である。
【００２９】
図４（ａ）で示されるように、まずノイズフィルタカバー下部材３１を電磁ノイズフィルタ１の上面端部に例えばネジ４１によってネジ留めする。なお、ネジ留めは一例であり、固定できる構造であれば、ノイズフィルタカバー下部材３１が電磁ノイズフィルタ上面端部に嵌合するような構造であってもよい。
【００３０】
続いて、図４（ｂ）に示されるように、電磁ノイズフィルタ１からのインバータ装置２への入力線を束ねてフック３３に係合させてまとめる。また、インバータ装置２からモータ等の動力装置への出力線を束ねてフック３４及び３５に係合させて引き回すようにする。これにより、入力線と出力線とが交差しないようになるため、電磁ノイズフィルタ１の作用を適正に維持することができるようになる。
【００３１】
なお、図５は、フック３３乃至３５の構成例を示す図である。図５（ａ）は配線をＬ字状フックに係合させて配線を引き回した状態の拡大図であり、図５（ｂ）及び（ｃ）は、Ａ−Ａ’で断面を取り、矢印方向から見た断面図である。図５（ｂ）に示すフックは、その先端部３６がノイズフィルタカバーの方を向いている。一方、図５（ｃ）に示すフックは、その先端部３６がインバータ装置２の背面部の方を向いている。図５（ｃ）に示すフックの場合には、配線はポケット部３７にまとめるだけなので、嵌めることのできる図５（ｂ）に示すフックの方がより強く固定することができる。ただし、配線の引き回し易さについては図５（ｃ）に示すフックの方が優れている。
【００３２】
次に、図４（ｃ）に示されるように、ノイズフィルタカバー上部材３２をノイズフィルタカバー下部材３１に取り付ける。上部材３２と下部材３１とは、例えばオス部材とメス部材のように構成され、互いに嵌合して固定されるようになっている。そして、ノイズフィルタカバー３が取り付けられた様子が図４（ｄ）に示されている。
【００３３】
＜まとめ＞
ノイズフィルタとしては、インバータ装置２に合せた専用（カスタマイズ）品と、特にその製品用には限っていない汎用品がある。絶縁性や取付けを考えると、専用品の方が良いことは明白ではある。一方で、生産コストを考えた場合、汎用品の方が有利である。
【００３４】
しかし、汎用品はノイズフィルタからの配線引き出し位置、引き出し方法等が、取付ける製品に合せてはいないため、絶縁性が問題となることがある。
【００３５】
このため、この引出線にノイズフィルタカバー３を被せることにより、絶縁を確保することが出来る。また、汎用の電磁ノイズフィルタ１をインバータ装置２に取り付けた場合には、通常配線が露出するという問題の他に、配線が交差して電磁ノイズフィルタの機能を十分に発揮できないという問題が生じる可能性がある。しかし、本発明によるノイズフィルタカバー３を取り付けることにより、配線を引き回して固定することができるので、そのような問題を解決することができるようになる。つまり、入力線や出力線が電線の場合、フックに電線を引っ掛けることにより、電線ルートが一定かつ電線の長さを所定範囲内に収めることができるようになり、配線ルートによりノイズのばらつきが発生しないようにすることができる。
【００３６】
なお、一般的には、日本国内向けの配線は、入出力ともに製品の下側から配線するのが好まれるのに対し、欧州では、入力は製品上側、出力は製品下側から配線するのが、好まれる。インバータ製品として、標準機は配線の引き出しを下側にしておくことにより、ノイズフィルタを必要とする場合の少ない日本向けの場合は、そのまま使用すれば、良いことになる。そして、フィルタを取付けることが、必須である欧州市場の場合、フィルタを取り付けることにより、入力配線は上側から、出力配線は下側からと欧州市場で好まれる配線引き回しとなる。
【図面の簡単な説明】
【００３７】
【図１】本発明によるノイズフィルタカバーを電磁ノイズフィルタ及びインバータ装置（電力変換装置）に取り付ける場合の外観を示す図である。
【図２】ノイズフィルタの概略回路構成を示す図である。
【図３】ノイズフィルタカバー３の裏面の構成を示す図である。２及び下部材３１
【図４】ノイズフィルタカバー３を、電磁ノイズフィルタ１が取り付けられたインバータ装置２に取り付ける手順を示す図である。
【図５】フック３３乃至３５の構成例を示す図である
【符号の説明】
【００３８】
１・・・ノイズフィルタ、２・・・インバータ装置、３・・・ノイズフィルタカバー、３１・・・フィルタカバー下部材、３２・・・フィルタカバー上部材、３３乃至３５・・・フック、３６・・・ネジ締結部、３７及び３８・・・係合部
【図１】
2010035295.tif 000003
【図２】
2010035295.tif 000004
【図３】
2010035295.tif 000005
【図４】
2010035295.tif 000006
【図５】
2010035295.tif 000007